(57)【特許請求の範囲】
【請求項１】
低圧地中配線ケーブルの幹線が延在する所定の分岐箇所で前記幹線を多分岐する低電圧多分岐装置において、
前記所定の分岐箇所内で延在する前記幹線方向にケーブル芯線を複数延在させて一端側を金属体により圧縮接続して他端側の遊端を段剥きして２本の幹線接続部及び複数の分岐接続部を設けた多分岐接続体と、
前記ボックス内で前記幹線を切断して２分された一方の幹線を前記多分岐接続体の前記幹線接続部に松葉状に接続する松葉型接続体と、
前記ボックス内で２分した他方の前記幹線を前記多分岐接続体の幹線接続部に突き合わせた状態で接続する幹線接続部材とを備え、
前記多分岐接続体の分岐線接続部に各需要家から延在する引込線を接続して配電するように設けたことを特徴とする低電圧多分岐装置。
【請求項２】
低圧地中配線ケーブルの幹線が延在する所定の分岐箇所で前記幹線を多分岐する低電圧多分岐装置において、
前記所定の分岐箇所内で底部から前記幹線に向かって延在するケーブル芯線を複数設けて底部の一端側を金属体により圧縮接続して他端側の遊端を段剥きして２本の幹線接続部及び複数の分岐接続部を設けた多分岐接続体と、
前記ボックス内で前記幹線を切断して２分した端部に前記ボックスの底部から延在する段剥きした２本の幹線接続部に突き合わせた状態で接続する幹線接続部材とを備え、
前記多分岐接続体の分岐線接続部に各需要家から延在する引込線を接続して配電するように設けたことを特徴とする低電圧多分岐装置。
【請求項３】
請求項１または請求項２のいずれか一方に記載の低電圧多分岐装置において、
前記多分岐接続体の分岐線接続部は、前記需要家から延在する引込線に防水性を備えるヒューズを介在して接続することを特徴とする低電圧多分岐装置。
【請求項４】
請求項１に記載の低電圧多分岐装置において、
前記多分岐接続体及び松葉型接続体は、防水性を有しており、前記幹線と引込線とを接続する接続部を収縮チューブなどの封止部材により密閉して防水性を備えることを特徴とする低電圧分岐装置。
【請求項５】
請求項２に記載の低電圧多分岐装置において、
前記多分岐接続体は、防水性を有しており、前記幹線と引込線とを接続する接続部を収縮チューブなどの封止部材により密閉して防水性を備えることを特徴とする低電圧分岐装置。
【請求項６】
請求項１または請求項２のいずれか一方に記載の低電圧多分岐装置において、
前記幹線を分岐する分岐箇所は、地中内で前記幹線を引き込んで前記多分岐接続体、松葉型接続体、幹線接続部材を各々接続して収納可能な最小のボックス体であることを特徴とする低電圧分岐装置。
【請求項７】
請求項１または請求項２のいずれか一方に記載の低電圧多分岐装置において、
前記幹線を分岐する分岐箇所は、地中配線用に形成されたコンクリートボックス、ハンドホール、マンホールなどの中空部であることを特徴とする低電圧分岐装置。
【請求項８】
請求項１または請求項２のいずれか一方に記載の低電圧多分岐装置において、
前記幹線は１次（高圧）配電線から３相３線式、３相４線式などの配電方式により前記分岐箇所に複数供給される２次（低圧）配電線であり、前記多分岐接続体は前記幹線に選択的に接続して１００Ｖ、２００Ｖ、４００Ｖ、４４０Ｖなどの電圧を得ることを特徴とする低電圧分岐装置。
【請求項９】
請求項１または請求項２のいずれか一方に記載の低電圧多分岐装置において、
前記３相４線式の配線方式は、１００Ｖ及び２００Ｖの電圧を供給する灯動共用３相４線配電方式であることを特徴とする低電圧分岐装置。
【請求項１０】
一端側を段剥きにした２本の幹線接続部及び複数の分岐接続部を備えて複数延在するケーブル芯線と、
前記複数のケーブル芯線を挿入する挿入孔を有して前記ケーブル芯線の段剥きにした端部と異なる他端側を挿入して圧縮接続する金属体と、
前記ケーブル芯線を圧縮接続した前記金属体を収納する絶縁性を備えた茶筒式容器と、
前記茶筒式容器内に注入されて前記金属体と前記ケーブル芯線の一部とを封止する封止樹脂とを備え、
前記茶筒式容器内を封止した前記封止樹脂の一端から前記ケーブル芯線の段剥した遊端部が複数露出するように設けたことを特徴とする多分岐接続体。
【請求項１１】
請求項１０に記載の多分岐接続体において、
前記封止樹脂は、硬化性を備えるエポキシ樹脂であり、前記茶筒式容器内に充填することで防水性を確保することを特徴とする多分岐接続体。
【請求項１２】
請求項１０に記載の多分岐接続体において、
前記封止樹脂は、前記茶筒式容器内に７０〜８０％注入して前記ケーブル芯線と金属体とを封止して硬化せしめるとともに、その後、前記茶筒式容器内に離形剤を塗布して前記茶筒式容器の残部に再び注入して充填することで前記茶筒式容器のクラックを防止することを特徴とする多分岐接続体。
【請求項１３】
請求項１０に記載の多分岐接続体において、
前記茶筒式容器は、ゴムまたはプラスチックなどの絶縁体からなることを特徴とする多分岐接続体。
【請求項１４】
請求項１０に記載の多分岐接続体において、
前記金属体は、前記ケーブル芯線の一端側を圧縮して電気的に接続するスリーブであることを特徴とする多分岐接続体。
【請求項１５】
中空の胴体部を有して一端側が開口して他端側に二又の分岐肢を一体に形成した二又分岐管と、
前記二又分岐管の分岐肢から所定のケーブルを挿入して前記胴体部を介して開口する一端側で松葉状に電気接続する接続体と、
前記ケーブルを接続した前記接続体を前記二又分岐管の胴体部内に収納して一端側を封止するキャップとを設けたことを特徴とする松葉型接続体。
【請求項１６】
請求項１５に記載の松葉型接続体において、
前記接続体は、Ｃ型コネクタ、２孔付銅体、アルミスリーブなどの導電体からなる接続体であることを特徴とする松葉型接続体。
【請求項１７】
請求項１５に記載の松葉型接続体において、
前記キャップは、前記二又分岐管の一端側に嵌入して封止した際に前記二又分岐管との間に介在する防水処理用のＯリングを装着しており、前記二又分岐管の一端側をバンドにより締めつけることで確実に封止することを特徴とする松葉型接続体。
【請求項１８】
請求項１７に記載の松葉型接続体において、
前記キャップは、前記バンドの締めつけに対して耐久性を有したショア硬さがＡ１００以上の硬度を備えるプラスチック樹脂からなることを特徴とする松葉型接続体。
【請求項１９】
請求項１５に記載の松葉型接続体において、
前記二又分岐管は、プラスチック樹脂またはゴムなどの防水性を有する絶縁材からなることを特徴とする松葉型接続体。
【発明の詳細な説明】
【０００１】
【発明の属する技術分野】
本発明は、低電圧多分岐装置及びそれに用いる多分岐接続体並びに松葉型接続体に係り、より詳細には低圧地中配線ケーブルの幹線を所定の分岐箇所に引き込んで多分岐する低電圧多分岐装置及びそれに用いる多分岐接続体並びに松葉型接続体に関する。
【０００２】
【従来の技術】
従来、配線ケーブルによる電気の供給は、都市部における電気の供給力及び安全性を確保し、特に近年では都市の美観上の理由からも配電線の地中化が重要な問題になっている。このように地中化された低圧地中配線ケーブルは、一般的に変圧器（トランス）により高圧（６．６ＫＶ）から低圧（１００Ｖ、２００Ｖ、４００Ｖ等）の単相または三相に降圧している。ここで、低圧地中配線ケーブルの配電方式には、単相２線式、単相３線式、三相４線式、三相３線式などの種々の方式があり、特に、灯動共用負荷に配電するための三相４線式が最も一般的である。そして、低圧地中配線ケーブルの幹線は、歩道または緑地帯のいずれかに地上設置した低電圧多分岐装置内に引き込んで分岐することで各需要家に電力を各々供給している。図１２は、このような歩道または緑地帯などに地上設置した従来の低電圧多分岐装置を示す図である。また、図１３は、図１２に示した低電圧分岐装置の地中内での配線状態を示す配線図である。また、図１４は、図１２に示した変圧器４で灯動共用三相４線配電方式により配線した状態を示す結線図である。また、図１５は、図１３に示した低電圧分岐装置により幹線を多分岐した際の配線状態を示す配線図である。
【０００３】
図１２に示すように、従来の低電圧多分岐装置は、車道７と歩道８との間に設けた緑地帯９、または歩道８などの地上に設置する配電ボックス６を備え、この配電ボックス６内に低圧地中配線ケーブルの幹線１を引き込んで各需要家に電力を供給している。ここで、低圧地中配線ケーブルの幹線１は、図１３に示すように、変圧器４により高圧（６．６ＫＶ）から低圧（１００Ｖ、２００Ｖ、４００Ｖ等）に降圧され、所定の配線方式（例えば、三相４線方式、三相３線方式等）に配線して配電ボックス６（図１３に示した左側の配電ボックス）内に引き込んでいる。この際、変圧器４及び配電ボックス６は、図１３に示したように、地中内に所定の広さの中空部を備えるコンクリートボックス４０を備えており、このコンクリートボックス４０を介して幹線１を引き込むように形成している。そして、変圧器４を介して配電ボックス６内に取り込んだ幹線１は、新たな次の配電ボックス６（図１３に示した右側の配電ボックス）に接続する幹線１と、所定の需要家に配電する引込線２とに各々分けられて配線される。
【０００４】
このような構成からなる従来の低電圧多分岐装置において、例えば、灯動共用三相４線配線方式を用いて各需要家に１００Ｖ／２００Ｖの電圧を供給する場合、変圧器４において、図１４に示すように結線によって電灯負荷に対して単相三線式、動力負荷に対しては三相３線式を一元化した４線（Ｒ、Ｓ、Ｔ、Ｎ）によって電灯及び電力を同時に供給する。従って、変圧器４は、図１４に示したように、三相交流の３本の１次配電線（高圧配電線：６．６Ｖ）を受けて、２次配電線側におけるＳＮＴ相間の単相３線回路に単相１００／２００Ｖを、ＲＳＴ相間の三相回路に三相２００Ｖを各々供給する。
【０００５】
また、幹線１は、図１３に示したように、変圧器４を介して２次側に４線延在し、配電ボックス６の地中内に設けたコンクリートボックス４０内に引き込んで配電ボックス６内に接続する。この配電ボックス６では、幹線１に引込線２を選択的に接続して、需要家に低圧１００Ｖまたは２００Ｖのいずれかによる電圧（図１４参照）を供給している。また、配電ボックス６は、図１３に示した変圧器４から取り込んだ幹線１を更に延在させて新たな次の配電ボックス６（図１３に示した右側の配電ボックス）に供給している。
【０００６】
ところで、このような変圧器４の２次側に４線延在する幹線１は、例えば、過密都市部で複数の需要家に電力を供給する際、幹線が不足する場合がある。そこで、配電ボックス６では、図１５に示すように、変圧器４から取り込んだ幹線１を新たな次の配電ボックス６（図１５に示した右側の配電ボックス）に供給する際、予め複数分岐させることで供給している。ここで、図１５に示した変圧器４では、配電ボックス６に接続する２次側の幹線１（１００／２００Ｖ）が１本の電線路に多数の線心（図１５では４線分）をより合わせたケーブルを用いており、配電ボックス６までを１本の太いケーブルで接続している。そして、配電ボックス６では、次の配電ボックス６（図１５に示した右側の配電ボックス）における需要家の過密度に合わせて変圧器４からの幹線１を６分岐〜８分岐（図１５では８分岐）させ、次の配電ボックス６に設けたコンクリートボックス４０まで延在させて引き込んでいる。従って、次の配電ボックス６では、需要家の過密度に合わせた幹線１を得ることができ、過密地域での幹線不足を防止できる。
【０００７】
しかしながら、このような従来の低電圧多分岐装置では、配電ボックス６内で幹線１を接続する分岐接続体（分岐ユニット）がゴムモールドコネクタ（図示せず）により形成されており、且つ需要家からの引込線２の接続部を活線の状態で着脱できるゴムモールドコネクタ（図示せず）で形成しているため、装置全体が高価になりコストがかかる。従って、従来の低電圧多分岐装置では、過密都市部以外で需要家の密度が比較的低い所定の地域に設置する場合、需要家の近傍に歩道または緑地体などの配置スペースがないと、幹線１（図１５に示した６分岐〜８分岐した幹線）及び引込線２を長く延在させて引き廻す必要があるため、ケーブルのコストが増加してしまう。
【０００８】
【発明が解決しようとする課題】
このように、従来の低電圧多分岐装置では、図１５に示した配電ボックス６を設けて電圧を供給する場合、配電ボックス６内に幹線１及び引込線２を接続するゴムモールドコネクタを設け、この配電ボックス６を歩道または緑地体などの配置スペースに設置するとともに、地中に幹線を引込むコンクリートボックス４０を埋設するため、装置全体が高価になり配電ボックス６を設置する設置コストが増加してしまうという不具合があった。
また、従来の低電圧多分岐装置では、特に、需要家が点在して需要家間の間隔が離れている地域に設置する場合、配電ボックス６を設置する間隔設定が困難であり幹線１及び引込線２の延在距離が長くなるとともに、この幹線１及び引込線２を延在させる地中の配線路も確保するため、これもまた設置コストが高価になるという不具合を有していた。
本発明はこのような課題を解決し、低圧地中配線ケーブルの幹線から容易に分岐でき、最小限度の機能を維持して簡単な構造で低コストにより分岐できる低電圧多分岐装置及びそれに用いる多分岐接続体並びに松葉型接続体を提供することを目的とする。
【０００９】
【課題を解決するための手段】
上述の課題を解決するために、本発明による低電圧多分岐装置の実施の形態は、低圧地中配線ケーブルの幹線が延在する所定の分岐箇所で幹線を多分岐する装置であって、所定の分岐箇所内で延在する幹線方向にケーブル芯線を複数延在させて一端側を金属体により圧縮接続して他端側の遊端を段剥きして２本の幹線接続部及び複数の分岐接続部を設けた多分岐接続体と、ボックス内で幹線を切断して２分された一方の幹線を多分岐接続体の幹線接続部に松葉状に接続する松葉型接続体と、ボックス内で２分した他方の幹線を多分岐接続体の幹線接続部に突き合わせた状態で接続する幹線接続部材とを備え、多分岐接続体の分岐線接続部に各需要家から延在する引込線を接続して配電するように設ける。
【００１０】
また、本発明による低電圧多分岐装置の他の実施の形態は、低圧地中配線ケーブルの幹線が延在する所定の分岐箇所で幹線を多分岐する装置であって、所定の分岐箇所内で底部から幹線に向かって延在するケーブル芯線を複数設けて底部の一端側を金属体により圧縮接続して他端側の遊端を段剥きして２本の幹線接続部及び複数の分岐接続部を設けた多分岐接続体と、ボックス内で幹線を切断して２分した端部にボックスの底部から延在する段剥きした２本の幹線接続部に突き合わせた状態で接続する幹線接続部材とを備え、多分岐接続体の分岐線接続部に各需要家から延在する引込線を接続して配電するように設ける。
【００１１】
ここで、多分岐接続体の分岐線接続部は、需要家から延在する引込線に防水性を備えるヒューズを介在して接続することが好ましい。また、多分岐接続体及び松葉型接続体は、防水性を有しており、幹線と引込線とを接続する接続部を収縮チューブなどの封止部材により密閉して防水性を備えることが好ましい。また、幹線を分岐する分岐箇所は、地中内で幹線を引き込んで多分岐接続体、松葉型接続体、幹線接続部材を各々接続して収納可能な最小のボックス体であることが好ましい。また、幹線を分岐する分岐箇所の他の実施の形態は、地中配線用に形成されたコンクリートボックス、ハンドホール、マンホールなどの中空部であることが好ましい。また、幹線は１次（高圧）配電線から３相３線式、３相４線式などの配電方式により分岐箇所に複数供給される２次（低圧）配電線であり、多分岐接続体は幹線に選択的に接続して１００Ｖ、２００Ｖ、４００Ｖ、４４０Ｖなどの電圧を得ることが好ましい。また、３相４線式の配線方式は、１００Ｖ及び２００Ｖの電圧を供給する灯動共用３相４線配電方式であることが好ましい。
【００１２】
また、本発明による低電圧多分岐装置に用いる多分岐接続体は、一端側を段剥きにした２本の幹線接続部及び複数の分岐接続部を備えて複数延在するケーブル芯線と、この複数のケーブル芯線を挿入する挿入孔を有してケーブル芯線の段剥きにした端部と異なる他端側を挿入して圧縮接続する金属体と、ケーブル芯線を圧縮接続した金属体を収納する絶縁性を備えた茶筒式容器と、この茶筒式容器内に注入されて金属体とケーブル芯線の一部とを封止する封止樹脂とを備え、茶筒式容器内を封止した封止樹脂の一端からケーブル芯線の段剥した遊端部が複数露出するように設ける。
【００１３】
ここで、封止樹脂は、硬化性を備えるエポキシ樹脂であり、茶筒式容器内に充填することで防水性を確保することが好ましい。また、封止樹脂は、茶筒式容器内に７０〜８０％注入してケーブル芯線と金属体とを封止して硬化せしめるとともに、その後、茶筒式容器内に離形剤を塗布して茶筒式容器の残部に再び注入して充填することで茶筒式容器のクラックを防止することが好ましい。また、茶筒式容器は、ゴムまたはプラスチクなどの絶縁体からなることが好ましい。また、金属体は、ケーブル芯線の一端側を圧縮して電気的に接続するスリーブであることが好ましい。
【００１４】
また、本発明による低電圧多分岐装置に用いる松葉型接続体は、中空の胴体部を有して一端側が開口して他端側に二又の分岐肢を一体に形成した二又分岐管と、この二又分岐管の分岐肢から所定のケーブルを挿入して胴体部を介して開口する一端側で松葉状に電気接続する接続体と、ケーブルを接続した接続体を二又分岐管の胴体部内に収納して一端側を封止するキャップとを設ける。
【００１５】
ここで、接続体は、Ｃ型コネクタ、２孔付銅体、アルミスリーブなどの導電体からなる接続体であることが好ましい。また、キャップは、二又分岐管の一端側に嵌入して封止した際に二又分岐管との間に介在する防水処理用のＯリングを装着しており、二又分岐管の一端側をバンドにより締めつけることで確実に封止することが好ましい。また、キャップは、バンドの締めつけに対して耐久性を有したショア硬さがＡ１００以上の硬度を備えるプラスチック樹脂からなることが好ましい。また、二又分岐管は、プラスチック樹脂またはゴムなどの防水性を有する絶縁材からなることが好ましい。
【００１６】
【発明の実施の形態】
次に、添付図面を参照して本発明による低電圧多分岐装置及びそれに用いる多分岐接続体並びに松葉型接続体の実施の形態を詳細に説明する。図１は、本発明による低電圧多分岐装置の実施の形態を示す配線図である。また、図２は、図１に示した幹線１を１本の太いケーブルにより配線した状態を示す配線図である。また、図３は、図１に示した低電圧多分岐装置の詳細を示す図である。また、図４は、図３に示した幹線接続部材１２の内部構造を示す断面図である。また、図５は、図３に示した多分岐接続体１４の内部構造を示す図である。また、図６は、図５に示した多分岐接続体１４を組み立てた状態を示す一部切り欠いた側面図である。また、図７は、図３に示した松葉型接続体１６の内部構造を示す図である。また、図８は、図７に示したＡ−Ａ線の断面を示す断面図である。また、図９は、図３に示した低電圧分岐装置１０により幹線１を分岐する際の接続動作を示す動作説明図であり、図９（ａ）は多分岐接続体１４を装着した状態を、図９（ｂ）は松葉型接続体１６を装着した状態を、図９（ｃ）はヒューズ１８を装着した状態を各々示している。
【００１７】
図１に示すように、本発明による低電圧多分岐装置の実施の形態は、図１５に示した従来技術と同様に、変圧器４により高圧（６．６ＫＶ）から低圧（１００Ｖ、２００Ｖ、４００Ｖ等）に降圧して所定の配線方式（例えば、３相４線方式、３相３線方式等）に配線した複数本の幹線１を所定の分岐箇所で複数の需要家に配電する引込線２と、この引込線２を接続した分岐箇所から更なる他の分岐箇所まで延在させる幹線１とに各々分岐して配線している。また、本発明による低電圧多分岐装置の実施の形態は、図１５に示した従来技術とは異なり、需要家が位置する所定の分岐箇所にボックス体２０を埋設し、このボックス体２０内に変圧器４から配線した複数本（図１では４本）の幹線１を引き込んで分岐する構造を備えている。この低電圧多分岐装置１０は、変圧器４から引き込んだ複数本の幹線１をボックス体２０内で各々切断して接続する構造を備えており、ボックス体２０内で幹線１の各々に複数個装着している。従って、本実施の形態では、図１５に示した従来技術での配電ボックス及びコンクリートボックスを用いることなく、低電圧多分岐装置１０とボックス体２０とにより幹線１を容易に分岐して需要家に電力を供給することができる。
【００１８】
ここで、図１に示した変圧器４では、図１４及び図１５に示した従来技術と同様に、灯動共同三相４線式配電方式を用いて各需要家に１００Ｖ／２００Ｖの電圧を供給する場合を示しており、三相３線の１次配電線（高圧：６．６Ｖ）を受けて、２次配電線側におけるＳＮＴ相間の単相３線回路に単相１００／２００Ｖを、ＲＳＴ相間の三相回路に三相２００Ｖを各々供給している。そして、変圧器４から２次側に４線延在する幹線１は、需要家の密度が比較的低い所定の地域にボックス体２０を埋設し、このボックス体２０に引き込んで直接単心分岐を行っている。このように本実施の形態では、図１５に示した従来技術のように配電ボックスで多分岐させた複数の幹線を引き廻す必要がなく、容易に幹線１から需要家に電圧を供給することができる。また、変圧器４から２次側に４線延在する幹線１は、図１５に示した従来技術のように１本の電線路に多数（４線分）の線心をより合わせたケーブルを用いることで、図２に示すように、地中内を太いケーブル１本の幹線１のみで自由に配線することが可能になる。
【００１９】
また、ボックス体２０は、地中配線用に形成されたコンクリートボックス、ハンドホール、マンホールなどの中空部とは異なり、小型に形成された設置枡であり、地中内に埋設して地上から作業員が手を挿入することで作業を行える最小のボックス体である。従って、このボックス体２０は、需要家の近傍に容易に設置でき電圧を自由に供給することができる。
【００２０】
次に、図３乃至図９を参照して、図１に示した低電圧多分岐装置１０の詳細について詳しく説明する。ここで、図３及び図９には、説明を簡易化するため、ボックス体２０に引き込む４線の２次配電線のうち一相の結線図のみを示している。図３に示すように、低電圧多分岐装置１０は、ボックス体２０内に引き込んだ低圧地中配線ケーブルの幹線１方向に複数のケーブル芯線を延在させて一端側を圧縮接続して他端側の遊端に２本の幹線接続部１４ａ及び複数の分岐接続部１４ｂを設けた多分岐接続体１４と、ボックス体２０内で幹線１を切断して２分された一方の幹線１を多分岐接続体１４の幹線接続部１４ａに松葉状に接続する松葉型接続体１６と、ボックス体２０内で２分した他方の幹線１を多分岐接続体１４の幹線接続部１４ｂに突き合わせた状態で接続する幹線接続部材１２とを備えている。
【００２１】
ここで、幹線接続部材１２は、図４に示すように、ボックス体２０内で多分岐接続体１４の幹線接続部１４ａと幹線１とを向き合わせて圧縮処理（カシメ処理）する圧着端子１２ａと、この圧着端子１２ａを覆うように絶縁する絶縁体１２ｂとを備えている。従って、幹線接続部１４ａと幹線１とは、圧着端子１２ａにより電気的に接続され、絶縁体１２ｂにより密閉されて防水状態に処理される。このように、幹線接続部材１２は、多分岐接続体１４ａの幹線接続部１４ａと幹線１とを圧着端子１２ａを用いて圧縮処理することで接続している。
【００２２】
そして、このように幹線接続部１４ａを幹線接続部材１２により幹線１に接続した本発明による低電圧多分岐装置に用いる多分接続岐体１４は、図５に示すように、複数延在するケーブル芯線を備えて幹線接続部１４ａ及び分岐線接続部１４ｂを形成し、この一端側を六角状で厚みを有した金属体１４ｃに束ねるように装着（圧着）して電気的に接続するとともに、この金属体１４ｃを円筒状で一端が封止された茶筒式容器１４ｄ内に収納した構造を備えている。ここで、金属体１４ｃは、図６に示すように、茶筒式容器１４ｄ内に収納して硬化性を備えるエポキシ樹脂１４ｅを図６に示した充填幅Ｂの位置まで流入して凝固させた後、離形剤を塗布して再び新たなエポキシ樹脂１４ｅを充填幅Ｃの位置に流入して、茶筒式容器１４ｄ内をエポキシ樹脂１４ｅで充填させる。このように、エポキシ樹脂１４ｅは、茶筒式容器１４ｄへの充填を充填幅Ｂと充填幅Ｃとに分けることにより、凝固時の膨張を防止して同時にクラックを防止することで確実な充填及び防水効果を得ている。また、幹線接続部１４ａ及び分岐線接続部１４ｂは、一端側が茶筒式容器１４ｄ内で金属体１４ｃに接続され、他端側の遊端は被覆を剥離して導体１４ｆを露出している。この導体１４ｆは、図６に示したように、未使用時にはキャップ１４ｇを被すことにより絶縁している。
【００２３】
そして、多分岐接続体１４の分岐線接続部１４ｂには、図１に示した所定の各需要家から延在する引込線２にボックス体２０内で接続する。この際、分岐線接続部１４ｂには、好ましくは引込線２を接続する際に図３に示したようにヒューズ１８を介在させることが望ましい。また、多分岐接続体１４の幹線接続部１４ａには、図３に示したボックス体２０で切断した一方の幹線１を前述した幹線接続部材１２により接続し、他方の幹線１を松葉型接続体１６によって接続している。
【００２４】
この本発明による低電圧多分岐装置に用いる松葉型接続体１６は、図７に示すように、円筒状の胴体部１６ａ−１の一端側に二又の分岐肢１６ａ−２を一体に形成した二又分岐管１６ａと、この二又分岐管１６ａの分岐肢１６ａ−２から多分岐接続体１４の幹線接続部１４ａ及び幹線１を挿入して胴体部１６ａ−１の一端側で電気的に接続するＣ型コネクタ１６ｂと、このＣ型コネクタ１６ｂを胴体部１６ａ−１の内部に収納して一端側を封止するキャップ１６ｃとを備えている。ここで、二又分岐管１６ａは、ゴムまたはプラスチックなどの軟質材により形成し、内部を封止して絶縁できるように設けている。また、二又分岐管１６ａは、胴体部１６ａ−１の一端側をキャップ１６ｃにより封止しており、このキャップ１６ｃの外周にはゴムなどの軟質材からなるパッキン１６ｄを設けて胴体部１６ａ−１に装着した際に、図８に示したようにバンド１６ｅにより密閉できるように形成している。このバンド１６ｅは、ナイロンなどの材質からなり帯状に形成されている。また、キャップ１６ｃは、バンド１６ｅの締めつけに対して耐久性を有したショア硬さがＡ１００以上の硬度を備えるプラスチック樹脂からなることが好ましい。また、胴体部１６ａ−１内に収納するＣ型コネクタ１６ｄは、幹線接続部１４ａと幹線１とを接続した後、絶縁体１６ｇにより周囲を覆って絶縁処理する。また、二又分岐管１６ａは、内部を密閉するために分岐肢１６ａ−２の端部に収縮チューブ１６ｆを圧着している。
【００２５】
次に、図９を参照して、本発明による低電多圧分岐装置の実施の形態を用いて幹線１を分岐させる動作について詳細に説明する。低圧地中配線ケーブルの幹線１は、図９に示すように、地中内に設けたボックス体２０内で作業員により切断されて分岐処理が行われる。ここで、幹線１は、図９（ａ）に示すように、ボックス体２０内から取り出して切断され、幹線接続部材１２により多分岐接続体１４の幹線接続部１４ａに接続する。この際、幹線接続部材１２は、多分岐接続体１４の幹線接続部１４ａと幹線１とを圧着端子１２ａによって接続して絶縁体１２ｂにより圧着端子１２ａを絶縁する。その後、多分岐接続体１４は、図９（ａ）に示した矢印方向のボックス体２０内に落とし込んで収納する。
【００２６】
また、ボックス体２０に多分岐接続体１４を収納すると、図９（ｂ）に示すように、切断した他方の幹線１と多分岐接続体１４の新たな幹線接続部１４ａとをボックス体２０の外に引き起こして松葉型接続体１６によりお互いに接続する。この幹線接続部１４ａと幹線１とは、二又分岐管１６ａの分岐肢１６ａ−２に各々挿入してＣ型コネクタ１６ｂにより松葉状に接続される。そして、Ｃ型コネクタ１６ｂは、ＡＤテープなどの絶縁体１６ｇにより絶縁して二又分岐管１６ａの内部に収納するとともにキャップ１６ｃを装着してバンド１６ｅにより固定することで二又分岐管１６ａ内に封止する。また、分岐肢１６ａ−２には、収縮チューブ１６ｆを圧着させることで、より密閉性を向上している。その後、松葉型接続体１６は、図９（ｂ）に示した矢印方向のボックス体２０内に落とし込んで収納する。
そして、ボックス体２０内では、最後に多分岐接続体１４から延在する分岐線接続部１４ｂを取り出して、図９（ｃ）に示すように所定の需要家（図１参照）から延在する引込線２にヒューズ１８を介して接続することで接続作業が完了する。
【００２７】
このように、本発明による低電圧多分岐装置及びそれに用いる多分岐接続体並びに松葉型接続体の実施の形態によると、図１５に示した従来技術のように、地上設置する配電ボックスと地中に埋設するコンクリートボックスとが不要になるため、歩道或いは緑地帯などに配電ボックスを設置する配置スペースを確保する必要がなくなり経済的効果が極めて大きく大幅なコスト削減を実現でき、且つ、幹線１を切断して多分岐接続体１４などの部品を接続してボックス体２０内に落とし込む構造により切断した幹線１にケーブル余長を取る必要がなく容易に配線することが可能になる。
【００２８】
また、本発明による低電圧多分岐装置及びそれに用いる多分岐接続体並びに松葉型接続体の実施の形態によると、前述したように歩道或いは緑地帯などの配電ボックスを設置する配置スペースが不要になるため、需要家の密度が比較的低い地域でも地中内に小型のボックス体２０を埋設することで幹線１及び引込線２を長く延在させることなく容易に配線でき、この幹線２と引込線２とを延在させる配線路の掘削コスト及びケーブルコストを低減することができる。
【００２９】
ここで、ボックス体２０内で幹線接続部材１２、多分岐接続体１４、松葉型接続体１６を用いて幹線１を分岐した本発明による低電圧多分岐装置の実施の形態を説明したが、松葉型接続体１６を用いることなく幹線１を分岐する場合がある。図１０は、このような松葉型接続体を用いない本発明による低電圧多分岐装置の他の実施の形態を示す図である。また、図１１は、図１０に示した低電圧多分岐装置を詳細に示す図である。ここで、図１０に示した低電圧多分岐装置３０は、松葉型接続体を用いない以外は全て図３に示した低電圧多分岐装置と同じ構成要素であり、同一の構成要素には同じ符号を記載するとともに、重複する説明は省略する。また、図１１には、説明を簡易化するため、ボックス体２０に引き込む４線の２次配電線のうち一相の結線図のみを示している。
【００３０】
図１０に示すように、本発明による低電圧多分岐装置の他の実施の形態は、図２に示した低電圧多分岐装置と同様に、需要家が密集する所定の分岐箇所にボックス体２０を埋設し、このボックス体２０内に変圧器４から引き込んだ複数本の幹線１をボックス体２０内で各々切断して接続する構造を備えている。この低電圧多分岐装置３０は、図１０に示したように、ボックス体２０内で幹線１に合わせて複数個装着している。また、低電圧多分岐装置３０は、図２に示した低電圧多分岐装置とは異なり、ボックス体２０内で図１１に示すように底部から幹線１に向かって延在する複数のケーブル芯線を設けて底部の一端側を圧縮接続して他端側の遊端を段剥きして２本の幹線接続部１４ａ及び複数の分岐接続部１４ｂを設けた多分岐接続体１４と、ボックス体２０内で幹線１を切断して２分した端部にボックス体２０の底部から延在する２本の幹線接続部１４ａに突き合わせた状態で接続する幹線接続部材１２とを備えている。従って、本発明による低電圧多分岐装置の他の実施の形態は、幹線接続部材１２及び多分岐接続体１４のみ用いて幹線１と引込線２との接続を可能にしたものである。
ここで、多分岐接続体１４の分岐線接続部１４ｂには、図１０に示したように、所定の各需要家から延在した引込線２をボックス体２０内で接続している。この際、分岐線接続部１４ｂには、図１１に示したように、好ましくは引込線２と接続する際にヒューズ１８を介在させることが望ましい。
【００３１】
このように形成された本発明による低電圧多分岐装置の他の実施の形態によると、ボックス体２０の内部で幹線１を切断して幹線接続部材１２及び多分岐接続体１４により分岐して幹線１と引込線２との接続が行えるため、図３に示した低電圧多分岐装置と同様の効果を得ることができるとともに、図３に示した松葉型接続体を用いていないことで接続作業が容易になりコストをより削減することが可能になる。
【００３２】
以上、本発明による低電圧多分岐装置及びそれに用いる多分岐接続体並びに松葉型接続体の実施の形態を詳細に説明したが、本発明は前述した実施の形態に限定されるものではなく、その要旨を逸脱しない範囲で変更可能である。
例えば、灯動共同三相４線式配電方式を用いた本発明による低電圧多分岐装置の実施の形態を説明したが、これに限定されるものではなく、三相３線配電方式による４００Ｖの配電などにも適用可能である。
また、本発明による低電圧多分岐装置をボックス体内に設けた実施の形態を説明したが、これに限定されるものではなく、例えば、コンクリートボックス、ハンドホール、マンホールなどの中空部内でも適用可能である。
【００３３】
【発明の効果】
このように本発明による低電圧多分岐装置及びそれに用いる多分岐接続体並びに松葉型接続体によれば、地上の歩道或いは緑地帯などに配電ボックスを設置する配置スペースを確保する必要がなくなるため、経済的効果が極めて大きく大幅なコスト削減を実現でき、且つ、幹線を切断して多分岐接続体などの部品を接続してボックス体内に落とし込む構造により切断した幹線にケーブル余長を取る必要がなく容易に配線することが可能になる。
また、本発明による低電圧多分岐装置及びそれに用いる多分岐接続体並びに松葉型接続体によれば、前述した配電ボックスの配置スペースが不要になるため、需要家の密度が比較的低い地域でも所定の地中内に小型のボックス体を埋設することで引込線及び幹線を長く延在させることなく容易に配線でき、この引込線と幹線とを延在させる配線路の掘削コスト及びケーブルコストを同時に低減することができる。
【図面の簡単な説明】
【図１】本発明による低電圧多分岐装置の実施の形態を示す配線図。
【図２】図１に示した幹線を１本の太いケーブルにより配線した状態を示す配線図。
【図３】図１に示した低電圧多分岐装置の詳細を示す図。
【図４】図３に示した幹線接続部材の内部構造を示す断面図。
【図５】図３に示した多分岐接続体の内部構造を示す図。
【図６】図５に示した多分岐接続体を組み立てた状態を示す一部切り欠いた側面図。
【図７】図３に示した松葉型接続体の内部構造を示す図。
【図８】図７に示したＡ−Ａ線の断面を示す断面図。
【図９】図３に示した低電圧分岐装置により幹線を分岐する際の接続動作を示す動作説明図。
【図１０】本発明による低電圧多分岐装置の他の実施の形態を示す図。
【図１１】図１０に示した低電圧多分岐装置を詳細に示す図。
【図１２】従来の低電圧多分岐装置を示す図。
【図１３】図１２に示した低電圧分岐装置の地中内での配線状態を示す配線図。
【図１４】図１２に示した変圧器で灯動共用三相４線配電方式により配線した状態を示す結線図。
【図１５】図１３に示した低電圧分岐装置により幹線を多分岐した際の配線状態を示す配線図。
【符号の説明】
１    幹線
２    引込線
４    変圧器
１０    低電圧分岐装置
１２    幹線接続部材
１２ａ  圧着端子
１２ｂ  絶縁体
１４    多分岐接続体
１４ａ  幹線接続部
１４ｂ  分岐接続部
１４ｃ  金属体
１４ｄ  茶筒式容器
１４ｅ  エポキシ樹脂
１４ｆ  導体
１４ｇ  キャップ
１６    松葉型接続体
１６ａ  二又分岐管
１６ａ−１    胴体部
１６ａ−２    分岐股
１６ｂ  Ｃ形コネクタ
１６ｃ  キャップ
１６ｄ  パッキン
１６ｅ  バンド
１６ｆ  収縮チューブ
１６ｇ  絶縁体
１８    ヒューズ
２０    ボックス体
【図１】
0004121238.tif 000002
【図２】
0004121238.tif 000003
【図３】
0004121238.tif 000004
【図４】
0004121238.tif 000005
【図５】
0004121238.tif 000006
【図６】
0004121238.tif 000007
【図７】
0004121238.tif 000008
【図８】
0004121238.tif 000009
【図９】
0004121238.tif 000010
【図１０】
0004121238.tif 000011
【図１１】
0004121238.tif 000012
【図１２】
0004121238.tif 000013
【図１３】
0004121238.tif 000014
【図１４】
0004121238.tif 000015
【図１５】
0004121238.tif 000016